(57)【特許請求の範囲】
【請求項１】
鉢状のボウル部と、このボウル部の下方に突出し、水を排水する排水口を形成する筒状の排水口部とを有するボウル本体と、
上記ボウル本体の排水口部の外側に被せられて、この排水口部の外周面を覆うカップ状部と、このカップ状部の下方に突出し、下端部に排水管が接続される筒状の排水管接続部とを有する排水部材と、
上記排水部材のカップ状部が上記ボウル本体の排水口部に被せられた状態において、上記ボウル本体の排水口部の外周面と上記排水部材のカップ状部の内周面との間に配置されて、これらの周面の間をシールして水密状態を形成するシール部材であって、上記ボウル本体の排水口部の外側に嵌められ、この排水口部の外周面に密着する筒状部を有する上記シール部材と、
を有し、
上記シール部材は、さらに、上記筒状部の下端部に設けられ、内方に向けて延びる環状部を有しており、
この環状部は、上記排水部材のカップ状部が上記ボウル本体の排水口部に被せられた状態において、上記ボウル本体の排水口部の下端部と、この下端部に対向する上記排水部材のカップ状部の部分との間に配置される、ことを特徴とするボウル設備。
【請求項２】
上記シール部材は、さらに、上記筒状部の外周面に設けられ、外方に向けて延びるリップ部を有しており、このリップ部によって、上記ボウル本体の排水口部の外周面と上記排水部材のカップ状部の内周面との間をシールして水密状態を形成する、請求項１に記載のボウル設備。
【請求項３】
上記シール部材のリップ部は、上記筒状部の軸線方向に沿って複数設けられる、請求項２に記載のボウル設備。
【請求項４】
上記シール部材の筒状部は、その内周面に、下方に向けて内径が小さくなるテーパー部を有する、請求項１乃至３の何れか１項に記載のボウル設備。
【請求項５】
上記排水部材は、更に、上記カップ状部の底部の内側に設けられ、上方に突出する突出部を有しており、この突出部は、上記排水部材のカップ状部が上記ボウル本体の排水口部に被せられた状態において当該排水口部の下端部と当接する、請求項１乃至４の何れか１項に記載のボウル設備。
【請求項６】
上記排水部材において上記突出部を形成する面と上記排水管接続部の内周面とは、曲面によって連続しており、下方に向けて内径が小さくなるテーパー部を形成する、請求項５に記載のボウル設備。
【請求項７】
さらに、上記排水部材を支持した状態で、この排水部材を上記ボウル本体の底面に対して固定する固定部材を有する、請求項１乃至６の何れか１項に記載のボウル設備。
【請求項８】
上記排水部材及び上記固定部材の一方は係合部を有し、他方はこの係合部に係合する被係合部を有しており、これらの係合部と被係合部とを係合させた状態で上記排水部材を上記固定部材によって支持させて、この排水部材の軸線回りの回転を規制する、請求項７に記載のボウル設備。
【請求項９】
上記排水部材は、更に、上記カップ状部の底部の外側に設けられ、下方に突出するリブ部を有しており、このリブ部を上記固定部材の上面に当接させて、このリブ部を介して上記固定部材によって上記排水部材を上方に押し付ける、請求項７又は８に記載のボウル設備。
【請求項１０】
鉢状のボウル部と、このボウル部の下方に突出し、水を排水する排水口を形成する筒状の排水口部とを有するボウル本体と、
上記ボウル本体の排水口部内に挿入されて、この排水口部の内周面を覆う筒状の挿入部と、この挿入部の下方に突出し、下端部に排水管が接続される筒状の排水管接続部とを有する排水部材と、
上記排水部材の挿入部が上記ボウル本体の排水口部内に挿入された状態において、上記ボウル本体の排水口部の内周面と上記排水部材の挿入部の外周面との間に配置されて、これらの周面の間をシールして水密状態を形成するシール部材であって、上記排水部材の挿入部の外側に嵌められ、この挿入部の外周面に密着する筒状部を有する上記シール部材と、
を有し、
上記シール部材は、さらに、上記筒状部の上端部に設けられ、内方に向けて延びる環状部を有しており、
この環状部は、上記排水部材の挿入部が上記ボウル本体の排水口部内に挿入された状態において、上記排水部材の挿入部の上端部と、この上端部に対向する上記ボウル本体の排水口部の部分との間に配置される、ことを特徴とするボウル設備。
【発明の詳細な説明】
【技術分野】
【０００１】
本発明は、手洗器、洗面器、掃除流しなどのボウル設備に係わり、特に、高い衛生性が要求される現場で使用されるボウル設備に関する。
【背景技術】
【０００２】
従来から、例えば医療現場などの高い衛生性が要求される現場で使用される手洗器（「スタッフ用手洗器」などと呼ばれることがある。）などのボウル設備が開発されている。そのようなボウル設備では、ボウル内面全体及び排水管接続構造などをなるべく段差（凹凸）が生じないように構成して、水や汚れが溜まることによる雑菌や微生物の繁殖を防止している。
例えば、特許文献１には、陶器製の鉢部の底面に短い筒状の排水口部を下方に突設し、排水口部の下端面と接続管の上端面との間にパッキンを配置した状態で排水口部に接続管を接続したボウル設備が開示されている。また、例えば特許文献２には、陶器製の鉢部の底面に短い筒状の排水口部を下方に突設し、パッキンを撓ませながら排水口部を排水器具に挿入したボウル設備が開示されている。
【先行技術文献】
【特許文献】
【０００３】
【特許文献１】特開２０１２−１８４５４７号公報
【特許文献２】特開２０１２−１６２８８７号公報
【発明の概要】
【発明が解決しようとする課題】
【０００４】
しかしながら、特許文献１に開示されたボウル設備では、陶器製であるため、ボウル設備の排水口部に製造誤差が生じる傾向にあり、この製造誤差により、排水口部の下端面とパッキンとの間に隙間が生じてしまい漏水する場合がある。排水口部の下端面を研磨すれば、そのような隙間を無くすことも可能であるが、研磨は手間やコストがかかるため現実的ではない。
他方で、特許文献２に開示されたボウル設備では、特許文献１に開示されたボウル設備のような排水口部の製造誤差に起因する漏水は生じない。しかしながら、特許文献２に開示されたボウル設備では、排水口部の外周面と排水器具の内側面との間に隙間が空いているため、この隙間に水が浸入して滞留することで、雑菌や微生物が繁殖する場合がある。よって、高い衛生性を確保することが困難である。
【０００５】
本発明は、上述した問題を解決するためになされたものであり、漏水を防止しつつ、高い衛生性を確保することができるボウル設備を提供することを目的とする。
【課題を解決するための手段】
【０００６】
上記の目的を達成するために、本発明は、ボウル設備であって、鉢状のボウル部と、このボウル部の下方に突出し、水を排水する排水口を形成する筒状の排水口部とを有するボウル本体と、ボウル本体の排水口部の外側に被せられて、この排水口部の外周面を覆うカップ状部と、このカップ状部の下方に突出し、下端部に排水管が接続される筒状の排水管接続部とを有する排水部材と、排水部材のカップ状部がボウル本体の排水口部に被せられた状態において、ボウル本体の排水口部の外周面と排水部材のカップ状部の内周面との間に配置されて、これらの周面の間をシールして水密状態を形成するシール部材であって、ボウル本体の排水口部の外側に嵌められ、この排水口部の外周面に密着する筒状部を有するシール部材と、を有し、シール部材は、さらに、筒状部の下端部に設けられ、内方に向けて延びる環状部を有しており、この環状部は、排水部材のカップ状部がボウル本体の排水口部に被せられた状態において、ボウル本体の排水口部の下端部と、この下端部に対向する排水部材のカップ状部の部分との間に配置される、ことを特徴とする。
このように構成された本発明においては、ボウル本体の排水口部の外側に嵌められて、この排水口部の外周面に密着する筒状部を有するシール部材が、ボウル本体の排水口部の外周面と、この排水口部の外側に被せられる排水部材のカップ状部の内周面との隙間をシールして水密状態を形成するので、この隙間への水の浸入に起因する雑菌や微生物の繁殖を抑制し、高い衛生性を確保することができる。また、本発明においては、排水部材のカップ状部によってボウル本体の排水口部の外側を覆うので、たとえ排水口部の外周面とカップ状部の内周面との間に水がわずかに浸入したとしても、カップ状部によってこの水を受け止めることができるため、ボウル設備における漏水を適切に防止することができる。以上のことから、本発明によれば、漏水を適切に防止しつつ、高い衛生性を確保することができる。
また、本発明においては、シール部材の下端部に設けられ、内方に向けて延びる環状部を、シール部材をボウル本体の排水口部の外側に嵌め込む際のストッパとして用いることができる。更に、この環状部は、ボウル本体の排水口部の下端部と、この下端部に対向する排水部材のカップ状部の部分との間をシールすることも可能である。
【０００７】
本発明において、好ましくは、シール部材は、さらに、筒状部の外周面に設けられ、外方に向けて延びるリップ部を有しており、このリップ部によって、ボウル本体の排水口部の外周面と排水部材のカップ状部の内周面との間をシールして水密状態を形成する。
このように構成された本発明においては、ボウル本体の排水口部の外周面と排水部材のカップ状部の内周面との隙間に配置されたシール部材のリップ部が、この隙間に応じて柔軟に弾性変形するので（例えば狭い隙間であればリップ部が撓む）、排水口部の外周面とカップ状部の内周面との間に生じ得る種々の幅を有する隙間を適切に埋めてシールすることができる。
【０００８】
本発明において、好ましくは、シール部材のリップ部は、筒状部の軸線方向に沿って複数設けられる。
このように構成された本発明においては、筒状部の軸線方向に沿って設けられた複数のリップ部を用いるので、ボウル本体の排水口部の外周面と排水部材のカップ状部の内周面との隙間を効果的にシールすることができる。
【００１０】
本発明において、好ましくは、シール部材の筒状部は、その内周面に、下方に向けて内径が小さくなるテーパー部を有する。
このように構成された本発明においては、シール部材の筒状部の内周面に、下方に向けて内径が小さくなるテーパー部が設けられているので、ボウル本体の排水口部に製造誤差があっても（例えば製造誤差により排水口部の外径が比較的大きい場合であっても）、シール部材を上方に移動させて排水口部の外側に嵌め込む際に、テーパー部が排水口部によって径方向に押し広がり易いため、シール部材を排水口部に容易に嵌め込むことができる。つまり、シール部材のテーパー部によれば、排水口部の製造誤差を適切に吸収して、シール部材を排水口部に嵌め込み易くすることができる。
【００１１】
本発明において、好ましくは、排水部材は、更に、カップ状部の底部の内側に設けられ、上方に突出する突出部を有しており、この突出部は、排水部材のカップ状部がボウル本体の排水口部に被せられた状態において当該排水口部の下端部と当接する。
このように構成された本発明においては、排水部材のカップ状部がシール部材を挟んでボウル本体の排水口部に被せられた状態において、排水部材の突出部が排水口部の下端部と当接する。このように排水部材の突出部が排水口部の下端部と当接した状態では、排水部材の突出部が、シール部材よりも内側（排水口部の排水口側）に位置することとなる。そのため、上記の本発明によれば、利用者が斜め上方からボウル本体の排水口部内へと視線を向けたときに、シール部材が排水部材の突出部によって隠れて見えなくなり、ボウル設備の外観品位を適切に確保することができる。
また、上記の本発明によれば、排水部材の突出部が排水口部の下端部と当接することで、水が浸入する隙間を生じにくくすることができ、高い衛生性を確保することが可能となる。
【００１２】
本発明において、好ましくは、排水部材において突出部を形成する面と排水管接続部の内周面とは、曲面によって連続しており、下方に向けて内径が小さくなるテーパー部を形成する。
このように構成された本発明においては、排水部材において突出部を形成する面と排水管接続部の内周面とを繋ぐ面を、曲面によって構成され、且つ、下方に向けて内径が小さくなるテーパー部によって形成したため、利用者が上方からボウル本体の排水口部内へと視線を向けたときに、排水部材のテーパー部が排水口部の下端部からはみ出して見えることとなる。この場合、排水口部の下端部からはみ出して見える、排水部材のテーパー部の部分における全周での面積の差が分かり辛いため、施工誤差による排水口部の中心軸線と排水部材の中心軸線とのずれがほとんど把握されなくなる。そのため、上記の本発明によれば、施工誤差によるボウル設備の外観品位の低下を適切に抑制することができる。
また、上記の本発明によれば、排水部材に設けたテーパー部により、ボウル本体の排水口部からの水を、滞留させずに下方へとスムーズに排水することができる。したがって、たとえ排水部材の突出部と排水口部の下端部との間に隙間が生じたとしても、この隙間から水が浸入することを適切に抑制することができる。
【００１３】
本発明において、好ましくは、さらに、排水部材を支持した状態で、この排水部材をボウル本体の底面に対して固定する固定部材を有する。
このように構成された本発明においては、固定部材が、排水部材を支持した状態でボウル本体の底面に対して固定するので、排水部材の落下を適切に防止することができる。
【００１４】
本発明において、好ましくは、排水部材及び固定部材の一方は係合部を有し、他方はこの係合部に係合する被係合部を有しており、これらの係合部と被係合部とを係合させた状態で排水部材を固定部材によって支持させて、この排水部材の軸線回りの回転を規制する。
このように構成された本発明においては、係合部と被係合部とを係合させた状態で排水部材を固定部材によって支持させて固定するので、排水部材の排水管接続部に排水管を接続する際などに、排水部材が共回りしてしまうことを適切に防止することができる。
【００１５】
本発明において、好ましくは、排水部材は、更に、カップ状部の底部の外側に設けられ、下方に突出するリブ部を有しており、このリブ部を固定部材の上面に当接させて、このリブ部を介して固定部材によって排水部材を上方に押し付ける。
このように構成された本発明においては、排水部材を固定部材によってボウル本体の底面に対して固定したときに、排水部材のカップ状部の底部の外側に設けられたリブ部が、固定部材の上面と当接する。このように排水部材のリブ部が固定部材の上面に当接することで、排水部材が、リブ部を介して固定部材によって上方に押し付けられるようになる。これにより、排水部材の位置が下がって、排水部材の突出部と排水口部の下端部との間に隙間が生じて、この隙間から水が浸入してしまうことを適切に抑制することができる。そのため、上記の本発明によれば、高い衛生性を適切に確保することが可能となる。
【００１６】
別の観点では、上記の目的を達成するために、本発明は、ボウル設備であって、鉢状のボウル部と、このボウル部の下方に突出し、水を排水する排水口を形成する筒状の排水口部とを有するボウル本体と、ボウル本体の排水口部内に挿入されて、この排水口部の内周面を覆う筒状の挿入部と、この挿入部の下方に突出し、下端部に排水管が接続される筒状の排水管接続部とを有する排水部材と、排水部材の挿入部がボウル本体の排水口部内に挿入された状態において、ボウル本体の排水口部の内周面と排水部材の挿入部の外周面との間に配置されて、これらの周面の間をシールして水密状態を形成するシール部材であって、排水部材の挿入部の外側に嵌められ、この挿入部の外周面に密着する筒状部を有するシール部材と、を有し、シール部材は、さらに、筒状部の上端部に設けられ、内方に向けて延びる環状部を有しており、この環状部は、排水部材の挿入部がボウル本体の排水口部内に挿入された状態において、排水部材の挿入部の上端部と、この上端部に対向するボウル本体の排水口部の部分との間に配置される、ことを特徴とする。
このように構成された本発明においても、排水部材の挿入部の外側に嵌められ、この挿入部の外周面に密着する筒状部を有するシール部材が、ボウル本体の排水口部の内周面と、この排水口部内に挿入される排水部材の挿入部の外周面との隙間をシールして水密状態を形成するので、漏水を適切に防止しつつ、この隙間への水の浸入に起因する雑菌や微生物の繁殖を抑制し、高い衛生性を確保することができる。
【発明の効果】
【００１７】
本発明のボウル設備によれば、漏水を適切に防止しつつ、高い衛生性を確保することができる。
【図面の簡単な説明】
【００１８】
【図１】本発明の第１実施形態によるボウル設備の縦断面図である。
【図２】本発明の第１実施形態によるボウル設備の排水部材を具体的に説明するための図であり、図２（Ａ）は、斜め上方から見た排水部材の斜視図であり、図２（Ｂ）は、図２（Ａ）中のIIB−IIB線に沿って見た排水部材の縦断面図である。
【図３】本発明の第１実施形態によるボウル設備のシール部材を具体的に説明するための図であり、図３（Ａ）は、斜め上方から見たシール部材の斜視図であり、図３（Ｂ）は、図３（Ａ）中のIIIB−IIIB線に沿って見たシール部材の縦断面図である。
【図４】本発明の第１実施形態によるボウル設備の固定部材を具体的に説明するための図であり、図４（Ａ）は、斜め上方から見た固定部材の斜視図であり、図４（Ｂ）は、上方から見た固定部材の平面図である。
【図５】本発明の第１実施形態によるボウル設備の一部分を斜め下方から見た分解斜視図である。
【図６】本発明の第１実施形態によるボウル設備の排水口部、排水部材、シール部材及び固定部材の部分を拡大して示した縦断面図である。
【図７】本発明の第１実施形態によるボウル設備において生じ得る問題点についての説明図である。
【図８】本発明の第２実施形態による排水部材について具体的に説明するための図であり、図８（Ａ）は、本発明の第２実施形態による排水部材の上面図であり、図８（Ｂ）は、図８（Ａ）中のVIIIB−VIIIB線に沿って見た縦断面図であり、図８（Ｃ）は、図８（Ａ）中のVIIIC−VIIIC線に沿って見た縦断面図である。
【図９】本発明の第２実施形態によるボウル設備の縦断面図である。
【図１０】本発明の第３実施形態によるボウル設備の縦断面図である。
【図１１】本発明の第３実施形態によるボウル設備の排水部材の縦断面図である。
【図１２】本発明の第３実施形態によるボウル設備のシール部材の縦断面図である。
【発明を実施するための形態】
【００１９】
以下、添付図面を参照して、本発明の実施形態によるボウル設備を説明する。ここでは、本発明の実施形態によるボウル設備として手洗器を例示する。
なお、本明細書では、基本的には、「上」という方向又は位置は、ボウル設備における水の流れの上流方向又は上流側位置を意味し、「下」という方向又は位置は、ボウル設備における水の流れの下流方向又は下流側位置を意味するものとする。
【００２０】
［第１実施形態］
まず、本発明の第１実施形態によるボウル設備について説明する。
【００２１】
図１を参照して、本発明の第１実施形態によるボウル設備の全体構成について説明する。図１は、本発明の第１実施形態によるボウル設備の縦断面図である。
【００２２】
図１に示すように、第１実施形態によるボウル設備１は、手洗器として構成されており、主に、鉢状（言い換えるとボール状）のボウル部３ａと、このボウル部３ａの下方に突出し、水を排水する排水口３ｃを形成する筒状の排水口部３ｂとを有するボウル本体３と、ボウル本体３の排水口部３ｂの外側に被せられて、この排水口部３ｂの外周面を覆うと共に、排水管としての接続管１７が下端部に接続される排水部材５と、ボウル本体３の排水口部３ｂの外周面と排水部材５の内周面との間に配置されて、これらの周面の間をシールして水密状態を形成するシール部材７と、を有する。
【００２３】
ボウル本体３においては、一般に広く用いられている、排水口３ｃの上方から差し込まれるフランジ付きアダプタ（管状体）を適用せずに、ボウル部３ａから下方に突出する排水口部３ｂをこのボウル部３ａに一体形成して、汚れなどが溜まりにくい段差のない構造を採用している。これにより、雑菌や微生物の繁殖を防止している。例えば、ボウル本体３は、陶器製である。また、排水部材５は、例えば金属又は樹脂で作られており、シール部材７は、例えばゴムで作られている。
【００２４】
また、ボウル設備１は、ボウル本体３に形成された排水口３ｃ内に配置される目皿（言い換えるとヘアキャッチャー）９と、排水部材５を支持した状態で、この排水部材５をボウル本体３の底面３ｄに対して固定する板状の固定部材１１と、を有する。具体的には、固定部材１１は、中央部に設けられた挿通孔に排水部材５を通し、且つ、両端部に設けられた挿通孔に座金組込みねじ１５を通した状態で、この座金組込みねじ１５をボウル本体３の底面３ｄに取り付けられたゴムブッシュ１３にねじ込むことにより、排水部材５を支持した状態でボウル本体３の底面３ｄに固定される。なお、ゴムブッシュ１３は、ボウル本体３の底面３ｄを貫通して、この底面３ｄの上部に形成された空間３ｆ内に一部分が配置される。
【００２５】
また、ボウル設備１には、水を排水するための排水管としての接続管１７、Ｕ字管（言い換えるとトラップ管）１９、及び立下り管２１が接続される。具体的には、ボウル設備１は、上記した排水部材５の下端部に、袋ナット２３を用いて接続管１７が接続される。そして、接続管１７は、袋ナット２５を用いてＵ字管１９が接続され、Ｕ字管１９は、袋ナット２７を用いて立下り管２１が接続される。これらの接続管１７、Ｕ字管１９及び立下り管２１には、例えば従来から用いられている配管が適用される。
【００２６】
以下では、図２乃至図４を参照して、本発明の第１実施形態によるボウル設備１の排水部材５、シール部材７及び固定部材１１について具体的に説明する。なお、これらの構成要素を説明する際に、図２乃至図４に加えて、図１を適宜参照するものとする。
【００２７】
まず、図２（Ａ）及び（Ｂ）を参照して、本発明の第１実施形態によるボウル設備１の排水部材５について具体的に説明する。図２（Ａ）は、斜め上方から見た排水部材５の斜視図であり、図２（Ｂ）は、図２（Ａ）中のIIB−IIB線に沿って見た排水部材５の縦断面図である。
【００２８】
図２（Ａ）及び（Ｂ）に示すように、排水部材５は、主に、上記したボウル本体３の排水口部３ｂの外側に被せられて、この排水口部３ｂの外周面を覆う（図１参照）、カップ形状を有するカップ状部５ａと、このカップ状部５ａの下方に突設され、下端部に接続管１７が接続される（図１参照）、筒状の排水管接続部５ｂと、を有する。カップ状部５ａは、排水管接続部５ｂよりも大きい径を有しており、この排水管接続部５ｂが一体形成されている。排水管接続部５ｂの外周面には、接続管１７を接続するために用いる袋ナット２３と螺合するねじ部５ｄが形成されている（図２（Ｂ）参照）。
【００２９】
また、排水部材５は、カップ状部５ａと排水管接続部５ｂとの連結箇所の外周面上に、２つの凸部５ｃが設けられている。詳細は後述するが、この凸部５ｃは、固定部材１１に設けられた凹部１１ｂに係合するものである。更に、排水部材５は、カップ状部５ａと排水管接続部５ｂとの連結箇所の内周面上に、目皿９を支持するための環状のフランジ部５ｅが設けられている（図２（Ｂ）参照）。
【００３０】
次に、図３（Ａ）及び（Ｂ）を参照して、本発明の第１実施形態によるボウル設備１のシール部材７について具体的に説明する。図３（Ａ）は、斜め上方から見たシール部材７の斜視図であり、図３（Ｂ）は、図３（Ａ）中のIIIB−IIIB線に沿って見たシール部材７の縦断面図である。
【００３１】
図３（Ａ）及び（Ｂ）に示すように、シール部材７は、主に、ボウル本体３の排水口部３ｂの外側に嵌められ、この排水口部３ｂの外周面に密着する（図１参照）、ほぼ筒形状を有する筒状部７ａと、この筒状部７ａの外周面に設けられ、外方に向けて延びる環状のリップ部７ｂと、を有する。具体的には、リップ部７ｂは、筒状部７ａの軸線方向（言い換えると上下方向）に沿って３つ設けられている。シール部材７は、これらのリップ部７ｂによって、ボウル本体３の排水口部３ｂの外周面と排水部材５のカップ状部５ａの内周面との間をシールして水密状態を形成する（図１参照）。
【００３２】
また、シール部材７の筒状部７ａは、その内周面に、下方に向けて内径が小さくなるテーパー部７ｃを有する（図７（Ｂ）参照）。つまり、筒状部７ａは、テーパー部７ｃにおいて、下流側に向けて内径が小さくなるように形成されている。更に、シール部材７は、筒状部７ａの下端部に設けられ、内方に向けて延びる環状部７ｄを有する（図３（Ｂ）参照）。この環状部７ｄは、シール部材７をボウル本体３の排水口部３ｂの外側に嵌め込む際のストッパとして機能する。
【００３３】
次に、図４（Ａ）及び（Ｂ）を参照して、本発明の第１実施形態によるボウル設備１の固定部材１１について具体的に説明する。図４（Ａ）は、斜め上方から見た固定部材１１の斜視図であり、図４（Ｂ）は、上方から見た固定部材１１の平面図である。
【００３４】
図４（Ａ）及び（Ｂ）に示すように、固定部材１１は、横長の板状部材として形成されている。この固定部材１１の中央部には、排水部材５の排水管接続部５ｂを挿入するための挿通孔１１ａが設けられている。具体的には、挿通孔１１ａは、排水管接続部５ｂの外径とほぼ同じ孔径を有しており、それにより、排水管接続部５ｂを挿通孔１１ａに嵌め込めるようになっている。また、固定部材１１の挿通孔１１ａの両端部には、２つの凹部（言い換えると切欠部）１１ｂが設けられている。これら２つの凹部１１ｂは、それぞれ、上記した排水部材５に設けられた２つの凸部５ｃ（図２参照）を係合できるように構成されている。更に、固定部材１１の両端部には、座金組込みねじ１５を挿入するための２つの挿通孔１１ｃが設けられている。
【００３５】
次に、図５を参照して、本発明の第１実施形態によるボウル設備１の組み立て方法について説明する。図５は、本発明の第１実施形態によるボウル設備１の一部分を斜め下方から見た分解斜視図である。
【００３６】
図５に示すように、まず、ボウル本体３の排水口部３ｂの外側にシール部材７が嵌められる。より詳しくは、排水口部３ｂの下端部にシール部材７の環状部７ｄが接触するまで、シール部材７が排水口部３ｂに対して嵌め込まれる。そして、シール部材７が嵌め込まれた状態にある排水口部３ｂの外側に排水部材５のカップ状部５ａが被せられて、この排水部材５が固定部材１１によってボウル本体３の底面３ｄに対して固定される。具体的には、排水部材５の凸部５ｃが固定部材１１の凹部１１ｂに係合するように、排水部材５の排水管接続部５ｂを固定部材１１の挿通孔１１ａに挿入すると共に、固定部材１１の挿通孔１１ｃに座金組込みねじ１５を挿入して、この座金組込みねじ１５をボウル本体３の底面３ｄに取り付けたゴムブッシュ１３（ボウル本体３の底面３ｄに設けられた挿通孔３ｅに嵌め込まれる）にねじ込む。これにより、排水部材５のカップ状部５ａが排水口部３ｂ及びシール部材７を覆った状態で、排水部材５が、ボウル本体３の底面３ｄに対して固定部材１１により支持されて固定される。
【００３７】
次に、図６を参照して、本発明の第１実施形態によるボウル設備１の作用効果について説明する。図６は、本発明の第１実施形態によるボウル設備１の排水口部３ｂ、排水部材５、シール部材７及び固定部材１１の部分を拡大して示した縦断面図である。なお、図６では、説明の便宜上、目皿９の図示を省略している。
【００３８】
図６に示すように、本発明の第１実施形態によるボウル設備１によれば、シール部材７の筒状部７ａの内周面７ｘがボウル本体３の排水口部３ｂの外周面３ｘに密着し、この筒状部７ａの外周面から外方に向けて延びるリップ部７ｂが排水部材５のカップ状部５ａの内周面５ｘに当接するので、ボウル本体３の排水口部３ｂの外周面３ｘと排水部材５のカップ状部５ａの内周面５ｘとの隙間を適切にシールして水密状態を形成することができ、この隙間への水の浸入に起因する雑菌や微生物の繁殖を抑制し、高い衛生性を確保することが可能となる。より具体的には、陶器製のボウル本体３では、ボウル本体３の排水口部３ｂに製造誤差が生じて、排水口部３ｂの下端部３ｙと排水部材５のカップ状部５ａの底部５ｙとの間（詳しくはカップ状部５ａの底部５ｙとシール部材７の環状部７ｄとの間）に隙間が生じて水が浸入することがあるが、本発明の第１実施形態によれば、シール部材７の筒状部７ａが排水口部３ｂの外周面３ｘに密着し、且つシール部材７のリップ部７ｂがカップ状部５ａの内周面５ｘに当接するので、このように浸入した水が排水口部３ｂの外周面３ｘとカップ状部５ａの内周面５ｘとの隙間を上昇していき水溜まりができることを適切に抑制することができる。
また、本発明の第１実施形態によるボウル設備１によれば、排水部材５のカップ状部５ａによってボウル本体３の排水口部３ｂの外側のほぼ全体を覆うので、たとえ排水口部３ｂの外周面３ｘとカップ状部５ａの内周面５ｘとの間に水がわずかに浸入したとしても、カップ状部５ａによってこの水を受け止めることができるため、ボウル設備１における漏水を確実に防止することができる。
以上のことから、本発明の第１実施形態によれば、漏水を確実に防止しつつ、高い衛生性を確保することができる。また、本発明の第１実施形態によれば、上記したように、陶器製のボウル本体３に製造誤差があっても漏水の防止及び高い衛生性の確保を実現できるので、製造誤差を調整するための研磨が不要となる。したがって、研磨のための手間やコストを要しない。
【００３９】
更に、本発明の第１実施形態によれば、陶器製のボウル本体３の排水口部３ｂにおける製造誤差により、ボウル本体３の排水口部３ｂの外周面３ｘと排水部材５のカップ状部５ａの内周面５ｘとの間に種々の幅を有する隙間が生じるが（例えば比較的短い幅を有する隙間が生じる場合がある）、排水口部３ｂの外周面３ｘとカップ状部５ａの内周面５ｘとの隙間に配置されたシール部材７のリップ部７ｂがこの隙間に応じて柔軟に弾性変形することで（例えば比較的短い幅を有する隙間であればリップ部７ｂが撓む）、このような種々の幅を有する隙間を適切に埋めてシールすることができる。
【００４０】
なお、図６に示すように、基本的には、シール部材７に設けられた３つのリップ部７ｂにおいて、上に設けられた２つのリップ部７ｂが排水部材５のカップ状部５ａの内周面５ｘに当接して、上記したシール機能を実現し、一番下に設けられた１つのリップ部７ｂはカップ状部５ａの内周面５ｘに当接せず、上記したシール機能をほとんど発揮しない。一番下のリップ部７ｂは、主として、その上のリップ部７ｂの折れ幅を確保するように機能する。
また、シール部材７の環状部７ｄは、ボウル本体３の排水口部３ｂの下端部３ｙと排水部材５のカップ状部５ａの底部５ｙとの間に位置するが、排水口部３ｂの製造誤差により、排水口部３ｂの下端部３ｙとカップ状部５ａの底部５ｙとの間に種々の隙間が生じるので、環状部７ｄは、この隙間を確実に埋めることができない。つまり、環状部７ｄは、排水口部３ｂの下端部３ｙとカップ状部５ａの底部５ｙとの隙間を確実にシールすることができない。上記したように、環状部７ｄは、基本的には、シール部材７を排水口部３ｂの外側に嵌め込む際のストッパとして機能するものである。但し、環状部７ｄの幅が、排水口部３ｂの下端部３ｙとカップ状部５ａの底部５ｙとの隙間の幅にほぼ一致する場合もあり、その場合には、環状部７ｄは、排水口部３ｂの下端部３ｙとカップ状部５ａの底部５ｙとの隙間を適切にシールすることができる。
【００４１】
更に、本発明の第１実施形態によれば、シール部材７の筒状部７ａの内周面に、下方に向けて内径が小さくなるテーパー部７ｃが設けられているので（図３（Ｂ）参照）、ボウル本体３の排水口部３ｂに製造誤差があっても（例えば製造誤差により排水口部３ｂの外径が比較的大きい場合であっても）、シール部材７を上方に移動させて排水口部３ｂの外側に嵌め込む際に、テーパー部７ｃが排水口部３ｂによって径方向に押し広がり易いため、シール部材７を排水口部３ｂに容易に嵌め込むことができる。つまり、シール部材７のテーパー部７ｃによれば、排水口部３ｂの製造誤差を適切に吸収して、シール部材７を排水口部３ｂに嵌め込み易くすることができる。
なお、シール部材７が排水口部３ｂによって径方向に押し広げられて排水口部３ｂに嵌め込まれて、そのようにしてシール部材７が嵌め込まれた排水口部３ｂの外側に排水部材５のカップ状部５ａが被せられた状態では、シール部材７における上の２つのリップ部７ｂの径方向長さ（幅）がほほ同じになる。この場合、２つのリップ部７ｂは、ほぼ同じような状態でカップ状部５ａに当接する。したがって、この２つのリップ部７ｂによって、排水口部３ｂの外周面３ｘとカップ状部５ａの内周面５ｘとの間を確実にシールすることができるようになる。
【００４２】
更に、本発明の第１実施形態によれば、排水部材５の排水管接続部５ｂを固定部材１１の挿通孔１１ａに嵌め込む際に、排水部材５の凸部５ｃを固定部材１１の凹部１１ｂに係合させ、この状態で排水部材５を固定部材１１によって支持させて固定するので、排水部材５の軸線回りの回転を防止することができる。具体的には、排水部材５の排水管接続部５ｂに袋ナット２３を用いて接続管１７を接続する際に、袋ナット２３の回転と一緒に排水部材５が回転（共回り）してしまうことを適切に防止することができる。
【００４３】
ここで、本発明の第１実施形態によるボウル設備１の変形例について説明する。上記した第１実施形態では、排水部材５に係合部としての凸部５ｃを設け、且つ固定部材１１に被係合部としての凹部１１ｂを設けていたが、係合部としての凸部を固定部材１１に設け、且つ被係合部としての凹部（例えば軸線方向に延びる溝など）を排水部材５に設けてもよい。また、係合部として凸部を用い、被係合部として凹部を用いることに限定はされず、互いに係合し合う係合部及び被係合部として機能すれば、種々の形態のものを適用してもよい。
【００４４】
［第２実施形態］
次に、本発明の第２実施形態によるボウル設備について説明する。
【００４５】
まず、図７を参照して、上記した第１実施形態によるボウル設備１において生じ得る問題点について説明する。図７は、図６と概ね同様の、第１実施形態によるボウル設備１の一部分を拡大して示した縦断面図である。
【００４６】
第１実施形態によるボウル設備１では、図７の矢印Ａ１に示すように、利用者が斜め上方からボウル本体３の排水口部３ｂ内へと視線を向けたときに、排水口部３ｂの下方のシール部材７（詳しくはシール部材７の環状部７ｄ）が見えてしまい、ボウル設備１の外観品位が損なわれてしまう場合がある。例えば、陶器製のボウル本体３が白色であり、ゴム製のシール部材７が黒色である場合には、排水口部３ｂの下方の隙間から見えるシール部材７が目立ってしまう。
【００４７】
また、第１実施形態によるボウル設備１では、基本的には、固定部材１１によって排水部材５がボウル本体３の排水口部３ｂから抜けないように固定しているだけであり、排水部材５が固定部材１１のほうに下がってしまう場合がある。このように排水部材５が下がると、排水部材５とシール部材７との間（詳しくは排水部材５の底部５ｙとシール部材７の環状部７ｄとの間）に隙間が生じ、この隙間に水が浸入して、高い衛生性を確保できなくなる場合がある。
【００４８】
他方で、通常、ボウル本体３の排水口部３ｂに対して排水部材５を設置するときに、施工誤差により、ボウル本体３の排水口部３ｂの中心軸線と排水部材５の中心軸線とがずれてしまう傾向にある（つまり偏心／芯ずれが生じる傾向にある）。この場合、第１実施形態によるボウル設備１では、排水部材５の底部５ｙの上面がほぼ水平面となっているため、利用者が上方からボウル本体３の排水口部３ｂ内へと視線を向けたときに、排水口部３ｂの下端部３ｙからはみ出して見える、排水部材５の底部５ｙの上面の部分における全周での面積の差から、上記した施工誤差による、排水口部３ｂの中心軸線と排水部材５の中心軸線とのずれが容易に把握できてしまう。そのため、ボウル設備１の外観品位が損なわれてしまう。
【００４９】
このようなことから、第２実施形態では、上述したような第１実施形態における問題点を改善するような構成を排水部材に適用する。この第２実施形態は、第１実施形態とは排水部材の構成のみが異なり、排水部材以外の構成要素は基本的には同一である。以下では、第１実施形態と異なる構成要素について主に説明し、第１実施形態と同様の構成要素については同一の符号を付し、それらの説明を適宜省略する。つまり、ここで特に説明しない構成や機能や作用などについては、第１実施形態と同様であるものとする。
【００５０】
図８を参照して、本発明の第２実施形態による排水部材について具体的に説明する。図８（Ａ）は、本発明の第２実施形態による排水部材の上面図であり、図８（Ｂ）は、図８（Ａ）中のVIIIB−VIIIB線に沿って見た縦断面図であり、図８（Ｃ）は、図８（Ａ）中のVIIIC−VIIIC線に沿って見た縦断面図である。
【００５１】
図８（Ｂ）及び（Ｃ）に示すように、第２実施形態による排水部材４０も、第１実施形態による排水部材５と同様に、ボウル本体３の排水口部３ｂの外側に被せられて、この排水口部３ｂの外周面を覆うカップ状部４０ａと、このカップ状部４０ａの下方に突設され、下端部に接続管１７が接続される筒状の排水管接続部４０ｂと、カップ状部４０ａと排水管接続部４０ｂとの連結箇所の外周面上に２つ設けられ（図８（Ａ）参照）、固定部材１１に設けられた凹部１１ｂ（図４及び図５も参照）に係合する凸部４０ｃと、目皿９を支持するための環状のフランジ部４０ｅと、を有する。
【００５２】
しかしながら、第２実施形態による排水部材４０は、図８（Ｂ）及び（Ｃ）に示すように、カップ状部４０ａの底部４０ｇの内側に、上方に突出する突出部４０ｈが設けられている点で、第１実施形態による排水部材５と異なる。この突出部４０ｈは、ボウル本体３の排水口部３ｂの下端部３ｙに対応する位置に環状に設けられており、排水部材４０のカップ状部４０ａがボウル本体３の排水口部３ｂに被せられた状態において当該排水口部３ｂの下端部３ｙに当接するようになっている。例えば、突出部４０ｈの上面は、約１ｍｍ程度の狭い幅を有しており、この突出部４０ｈと排水口部３ｂの下端部３ｙとが実質的に線接触するようになっている。また、第２実施形態による排水部材４０は、排水部材４０において突出部４０ｈを形成する面と排水管接続部４０ｂの内周面とを繋ぐ面が、曲面によって構成され、且つ、下方に向けて内径が小さくなるテーパー部４０ｉによって形成されている。
【００５３】
更に、第２実施形態による排水部材４０は、図８（Ｃ）に示すように、カップ状部４０ａと排水管接続部４０ｂとの連結箇所の外周面上に、つまりカップ状部４０ａの底部４０ｇの外側に、下方に突出する２つのリブ部４０ｆが設けられている（図８（Ａ）も参照）。例えば、このリブ部４０ｆは、上記の凸部４０ｃと類似の形状を有しているが、凸部４０ｃよりも少なくとも高さが低く構成されている。また、凸部４０ｃは、固定部材１１に設けられた凹部１１ｂに係合して、排水部材４０の軸線回りの回転を防止するものであるのに対して（図４及び図５も参照）、リブ部４０ｆは、固定部材１１の上面に当接して、リブ部４０ｆを介して固定部材１１によって排水部材４０を上方に押し付けるようにするものである。なお、排水部材４０に２つのリブ部４０ｆを設けることに限定はされず、排水部材４０に３つ以上のリブ部４０ｆを設けてもよい。
【００５４】
更に、第２実施形態による排水部材４０は、図８（Ｂ）及び（Ｃ）に示すように、カップ状部４０ａの外周の上端部に、２つの補強リブ部４０ｊが設けられている。このような補強リブ部４０ｊを設けることで、排水部材４０をほぼ正円に成形し易くしている。また、第２実施形態による排水部材４０は、その内周部に上記したテーパー部４０ｉを設けたことから、目皿９を支持するフランジ部４０ｅが、第１実施形態による排水部材５のフランジ部５ｅ（図２参照）よりも下方に設けられている。
【００５５】
次に、図９を参照して、上記した第２実施形態による排水部材４０を適用したボウル設備の作用効果について説明する。図９は、本発明の第２実施形態によるボウル設備の縦断面図である。なお、図９は、図８（Ａ）に示したVIIIC−VIIIC線（つまり排水部材４０のリブ部４０ｆを切断する線）に対応する線に沿って見た縦断面図に相当する。
【００５６】
図９に示すように、第２実施形態によるボウル設備１ａでは、排水部材４０のカップ状部４０ａがシール部材７を挟んでボウル本体３の排水口部３ｂに被せられた状態において、排水部材４０の突出部４０ｈが排水口部３ｂの下端部３ｙと当接する。このように排水部材４０の突出部４０ｈが排水口部３ｂの下端部３ｙと当接した状態では、排水部材４０の突出部４０ｈが、シール部材７の環状部７ｄよりも内側（排水口部３ｂの排水口３ｃ側）に位置することとなる。そのため、第２実施形態によれば、図９の矢印Ａ２に示すように、利用者が斜め上方からボウル本体３の排水口部３ｂ内へと視線を向けたときに、シール部材７の環状部７ｄが排水部材４０の突出部４０ｈによって隠れて見えなくなり、ボウル設備１ａの外観品位を適切に確保することができる。
【００５７】
また、第２実施形態では、排水部材４０において突出部４０ｈを形成する面と排水管接続部４０ｂの内周面とを繋ぐ面を、曲面によって構成され、且つ、下方に向けて内径が小さくなるテーパー部４０ｉによって形成したため、利用者が上方からボウル本体３の排水口部３ｂ内へと視線を向けたときに、排水部材４０のテーパー部４０ｉが排水口部３ｂの下端部３ｙからはみ出して見えることとなる。この場合、排水口部３ｂの下端部３ｙからはみ出して見える、排水部材４０のテーパー部４０ｉの部分における全周での面積の差が分かり辛いため、上記したような施工誤差による、排水口部３ｂの中心軸線と排水部材４０の中心軸線とのずれがほとんど把握されなくなる。そのため、第２実施形態によれば、施工誤差によるボウル設備１ａの外観品位の低下を適切に抑制することができる。
【００５８】
また、第２実施形態によれば、排水部材４０に設けたテーパー部４０ｉにより、ボウル本体３の排水口部３ｂからの水を、滞留させずに下方へとスムーズに排水することができる。したがって、たとえ排水部材４０の突出部４０ｈと排水口部３ｂの下端部３ｙとの間に隙間が生じたとしても、この隙間から水が浸入することを適切に抑制することができる。
【００５９】
また、第２実施形態では、排水部材４０を固定部材１１によってボウル本体３の底面３ｄに対して固定したときに、排水部材４０のカップ状部４０ａの底部４０ｇの外側に設けられたリブ部４０ｆが、固定部材１１の上面と当接する。このように排水部材４０のリブ部４０ｆが固定部材１１の上面に当接することで、排水部材４０が、リブ部４０ｆを介して固定部材１１によって上方に押し付けられるようになる。特に、第２実施形態では、固定部材１１を下方に撓ませて排水部材４０を固定するように設計することで、この固定部材１１の復元力を利用して、固定部材１１によってリブ部４０ｆを介して排水部材４０を確実に上方に押し付けるようにしている。これにより、排水部材４０の位置が下がって、排水部材４０の突出部４０ｈと排水口部３ｂの下端部３ｙとの間に隙間が生じて、この隙間から水が浸入してしまうことを効果的に抑制することができる。そのため、第２実施形態によれば、高い衛生性を適切に確保することが可能となる。
【００６０】
［第３実施形態］
次に、本発明の第３実施形態によるボウル設備について説明する。
上記した第１実施形態によるボウル設備１では、ボウル本体３の排水口部３ｂの外側に排水部材５が被せられ、排水口部３ｂの外周面と排水部材５の内周面との間にシール部材７が配置されていたが、第３実施形態によるボウル設備では、ボウル本体の排水口部内に排水部材が挿入され、排水口部の内周面と排水部材の外周面との間にシール部材が配置される。主にこの点において、第１実施形態によるボウル設備１と第３実施形態によるボウル設備との構成が異なる。
なお、以下では、第１実施形態と異なる構成要素について主に説明し、第１実施形態と同様の構成要素については同一の符号を付し、それらの説明を適宜省略する。つまり、ここで特に説明しない構成や機能や作用などについては、第１実施形態と同様であるものとする。
【００６１】
図１０を参照して、本発明の第３実施形態によるボウル設備の全体構成について説明する。図１０は、本発明の第３実施形態によるボウル設備の縦断面図である。図１０では、本発明の第３実施形態によるボウル設備における要部のみを図示している。
【００６２】
図１０に示すように、第３実施形態によるボウル設備１ｂは、手洗器として構成されており、主に、鉢状のボウル部３０ａ（図１０では一部分のみを図示している）と、このボウル部３０ａの下方に突出し、水を排水する排水口３０ｃを形成する排水口部３０ｂとを有するボウル本体３０と、ボウル本体３０の排水口部３０ｂ内に下方から挿入されて、この排水口部３０ｂの内周面を覆うと共に、袋ナット２３を用いて接続管１７（不図示）が下端部に接続される排水部材５０と、ボウル本体３０の排水口部３０ｂの内周面と排水部材５０の外周面との間に配置されて、これらの周面の間をシールして水密状態を形成するシール部材７０と、ボウル本体３０に形成された排水口３０ｃ内に配置される目皿９０と、を有する。
【００６３】
ボウル本体３０も、一般に広く用いられているフランジ付きアダプタ（管状体）を用いずに、ボウル部３０ａから下方に突出する排水口部３０ｂをこのボウル部３０ａに一体形成して、汚れなどが溜まりにくい段差のない構造を採用している。これにより、雑菌や微生物の繁殖を防止している。例えば、ボウル本体３０は、陶器製である。また、排水部材５０は、例えば金属で作られており、シール部材７０は、例えばゴムで作られている。
【００６４】
また、ボウル設備１ｂの排水部材５０は、ボウル本体３０の底面３０ｄに対して固定できるように構成されている。具体的には、排水部材５０は、その両端部に設けられた挿通孔に座金組込みねじ１５を挿入して、この座金組込みねじ１５をボウル本体３０の底面３０ｄに取り付けられたゴムブッシュ１３にねじ込むことにより、ボウル本体３０の底面３０ｄに固定される。なお、ゴムブッシュ１３は、ボウル本体３０の底面３０ｄを貫通して、この底面３０ｄの上部に形成された空間３０ｆ内に一部分が配置される。
【００６５】
次に、図１１及び図１２を参照して、本発明の第３実施形態によるボウル設備１ｂの排水部材５０及びシール部材７０について具体的に説明する。なお、これらの構成要素を説明する際に、図１１及び図１２に加えて、図１０を適宜参照するものとする。
【００６６】
まず、図１１を参照して、本発明の第３実施形態によるボウル設備１ａの排水部材５０について具体的に説明する。図１１は、本発明の第３実施形態による排水部材５０の縦断面図である。
【００６７】
図１１に示すように、排水部材５０は、主に、ボウル本体３０の排水口部３０ｂ内に挿入されて、この排水口部３０ｂの内周面を覆うと共に、シール部材７０が外側に嵌められる（図１０参照）、筒状の挿入部５０ａと、この挿入部５０ａの下方に突設され、下端部に接続管１７が接続される筒状の排水管接続部５０ｂと、を有する。挿入部５０ａは、符号５０ｃで示す、外径が細くなった部分に、シール部材７０が嵌められる。また、挿入部５０ａは、排水管接続部５０ｂよりも大きい径を有しており、この排水管接続部５０ｂが一体形成されている。排水管接続部５０ｂの外周面には、接続管１７を接続するために用いる袋ナット２３と螺合するねじ部５０ｄが形成されている。
【００６８】
また、排水部材５０は、挿入部５０ａと排水管接続部５０ｂとの間に、ボウル本体３０の底面３０ｄに固定するための板状の固定部５０ｅを有する。この固定部５０ｅの両端部には、座金組込みねじ１５を挿入するための２つの挿通孔５０ｆが設けられている。上記したように、排水部材５０は、固定部５０ｅに設けられた挿通孔５０ｆに座金組込みねじ１５を挿入して、この座金組込みねじ１５をボウル本体３０の底面３０ｄに取り付けられたゴムブッシュ１３にねじ込むことにより、ボウル本体３０の底面３０ｄに固定される（図１０参照）。
このように、固定部５０ｅは、第１実施形態によるボウル設備１の固定部材１１と同様に機能する。つまり、第３実施形態によるボウル設備１ｂでは、第１実施形態によるボウル設備１の固定部材１１を別体として用いるのではなく、第１実施形態によるボウル設備１の固定部材１１と同様の機能を有する固定部５０ｅを排水部材５０に一体形成している。
なお、固定部５０ｅを排水部材５０に一体形成することに限定はされず、第１実施形態と同様の固定部材１１を別体として用いてもよい。
【００６９】
次に、図１２を参照して、本発明の第３実施形態によるボウル設備１ａのシール部材７０について具体的に説明する。図１２は、本発明の第３実施形態によるシール部材７０の縦断面図である。
【００７０】
図１２に示すように、シール部材７０は、主に、排水部材５０の挿入部５０ａの外側に嵌められ、この挿入部５０ａの外周面に密着する（図１０参照）、筒状の筒状部７０ａと、この筒状部７０ａの外周面に設けられ、外方に向けて延びる環状のリップ部７０ｂと、を有する。具体的には、リップ部７０ｂは、筒状部７０ａの軸線方向（言い換えると上下方向）に沿って４つ設けられている。シール部材７０は、これらのリップ部７０ｂによって、ボウル本体３０の排水口部３０ｂの内周面と排水部材５０の挿入部５０ａの外周面との間をシールして水密状態を形成する（図１０参照）。
【００７１】
また、シール部材７０は、筒状部７０ａの上端部に設けられ、内方に向けて延びる環状部７０ｃを有する。加えて、シール部材７０の環状部７０ｃには、この環状部７０ｃ上に載置される目皿９０を位置決めするための環状の凸部７０ｄが設けられている。
【００７２】
次に、本発明の第３実施形態によるボウル設備１ｂの作用効果について説明する。本発明の第３実施形態によるボウル設備１ｂによっても、上記した本発明の第１実施形態によるボウル設備１と同様の作用効果が得られる。具体的には、第３実施形態によるボウル設備１ｂによれば、シール部材７０の筒状部７０ａが排水部材５０の挿入部５０ａの外周面に密着し、この筒状部７０ａの外周面から外方に向けて延びるリップ部７０ｂがボウル本体３０の排水口部３０ｂの内周面に当接するので（図１参照）、ボウル本体３０の排水口部３０ｂの内周面と排水部材５０の挿入部５０ａの外周面との間を適切にシールして水密状態を形成することができる。
より詳しくは、陶器製のボウル本体３０では、ボウル本体３０の排水口部３０ｂに製造誤差が生じて、排水部材５０の挿入部５０ａの上端部と、この上端部に対向する排水口部３０ｂの部分との間（詳しくはこの排水口部３０ｂの部分とシール部材７０の環状部７０ｃとの間）に隙間が生じて水が浸入することがあるが、第３実施形態によれば、シール部材７０の筒状部７０ａが排水部材５０の挿入部５０ａの外周面に密着し、且つシール部材７０のリップ部７０ｂが排水口部３０ｂの内周面に当接するので、このように浸入した水が排水口部３０ｂの内周面と挿入部５０ａの外周面との隙間を下降していくことを適切に抑制することができる。したがって、本発明の第３実施形態によっても、漏水を適切に防止しつつ、高い衛生性を確保することができる。
【００７３】
［変形例］
上記した第１乃至第３実施形態では、それぞれ、３つのリップ部７ｂが設けられたシール部材７、及び４つのリップ部７０ｂが設けられたシール部材７０を示したが、シール部材７、７０に２つ以下のリップ部（例えば１つのリップ部）を設けてもよいし、シール部材７、７０に５つ以上のリップ部を設けてもよい。
【００７４】
また、上記した第１乃至第３実施形態では、シール部材７、７０の筒状部７ａ、７０ａに設けたリップ部７ｂ、７０ｂによって、排水口部３ｂ、３０ｂと排水部材５、４０、５０の周面の間をシールしていたが、他の例では、シール部材の筒状部にリップ部を設けずに、この筒状部の外周面によって、排水口部と排水部材の周面の間をシールしてもよい。その場合には、径方向にある程度の厚みを持たせて筒状部を構成すると共に、径方向に弾性変形し易い材質で筒状部を構成するとよい。
【００７５】
また、上記した第１乃至第３実施形態では、シール部材７、７０の端部に環状部７ｄ、７０ｃを設けていたが、そのような環状部７ｄ、７０ｃを設けなくても構わない。
【００７６】
また、上記した第１乃至第３実施形態では、ボウル設備として手洗器を示したが、本発明の適用は手洗器に限定されない。本発明は、洗面器や掃除流しなどの種々のボウル設備に適用可能である。
【符号の説明】
【００７７】
１、１ａ、１ｂ  ボウル設備
３、３０  ボウル本体
３ａ、３０ａ  ボウル部
３ｂ、３０ｂ  排水口部
５、４０、５０  排水部材
５ａ、４０ａ  カップ状部
５ｂ、４０ｂ、５０ｂ  排水管接続部
５ｃ、４０ｃ  凸部
７、７０  シール部材
７ａ、７０ａ  筒状部
７ｂ、７０ｂ  リップ部
７ｃ  テーパー部
７ｄ、７０ｃ  環状部
１１  固定部材
１１ｂ  凹部
４０ｆ  リブ部
４０ｈ  突出部
４０ｉ  テーパー部
５０ａ  挿入部
５０ｅ  固定部
【図１】
0005896191.tif 000002
【図２】
0005896191.tif 000003
【図３】
0005896191.tif 000004
【図４】
0005896191.tif 000005
【図５】
0005896191.tif 000006
【図６】
0005896191.tif 000007
【図７】
0005896191.tif 000008
【図８】
0005896191.tif 000009
【図９】
0005896191.tif 000010
【図１０】
0005896191.tif 000011
【図１１】
0005896191.tif 000012
【図１２】
0005896191.tif 000013